(57)【要約】【課題】  実際の駆動時においてもスイッチング電源装置のスイッチング機能に起因する雑音を抑制して高精度に電波を受信することが可能なスイッチング周波数制御装置等を提供する。【解決手段】  複数種類のスイッチング周波数により動作可能なスイッチング機能を備える電源部４におけるスイッチング周波数を制御する場合に、電源部４の動作中におけるスイッチング周波数を検出する周波数カウンタ４Ｂと、受信すべき電波の周波数に基づいて、当該受信処理に対して雑音となる周波数を除くいずれかのスイッチング周波数を選択し、それを用いて電源部４を動作させるＣＰＵ５と、を備える。【選択図】  図１
2006140792.tif 000002
【特許請求の範囲】
【請求項１】
複数種類のスイッチング周波数により動作可能なスイッチング機能を少なくとも備える電気装置における当該スイッチング周波数を制御するスイッチング周波数制御装置において、
前記電気装置の動作中における前記スイッチング周波数を検出する検出手段と、
受信すべき電波の周波数と、前記検出されたスイッチング周波数と、に基づいて、当該電波の受信処理に対して雑音となる周波数を除くいずれかの前記スイッチング周波数を選択し、当該選択されたスイッチング周波数を用いて前記電気装置を動作させる選択制御手段と、
を備えることを特徴とするスイッチング周波数制御装置。
【請求項２】
請求項１に記載のスイッチング周波数制御装置において、
前記選択制御手段は、前記検出されたスイッチング周波数を自然数倍して得られる高調波周波数のうち、前記受信処理に対して雑音となる当該高調波周波数の算出元である前記スイッチング周波数を除くいずれかの前記スイッチング周波数を選択することを特徴とするスイッチング周波数制御装置。
【請求項３】
請求項２に記載のスイッチング周波数制御装置において、
前記検出されたスイッチング周波数と、各前記高調波周波数と、を含む周波数テーブルを生成して記憶する記憶手段を更に備え、
前記選択制御手段は、前記電波の周波数に基づいて、前記受信処理に対して雑音となる前記高調波周波数を前記周波数テーブルから抽出し、当該抽出された高調波周波数の算出元である前記スイッチング周波数を除くいずれかの前記スイッチング周波数を選択することを特徴とするスイッチング周波数制御装置。
【請求項４】
請求項３に記載のスイッチング周波数制御装置において、
前記記憶されている周波数テーブルの内容を更新する更新手段を更に備え、
前記検出手段は、予め設定されたタイミングにおいて前記スイッチング周波数を検出すると共に、
前記更新手段は、前記スイッチング周波数が新たに検出されたとき、当該新たに検出されたスイッチング周波数が過去に検出されていた当該スイッチング周波数と異なる場合、前記周波数テーブルの内容を、当該新たに検出されたスイッチング周波数と、当該新たに検出されたスイッチング周波数に対応する各前記高調波周波数と、を含む内容に更新することを特徴とするスイッチング周波数制御装置。
【請求項５】
請求項２から４のいずれか一項に記載のスイッチング周波数制御装置において、
前記選択制御手段は、前記電波の周波数との差が最も大きい前記高調波周波数の算出元である前記スイッチング周波数を選択することを特徴とするスイッチング周波数制御装置。
【請求項６】
請求項５に記載のスイッチング周波数制御装置において、
前記選択制御手段は、前記電波の周波数より小さく且つ当該周波数との差が最も大きい前記高調波周波数の算出元である前記スイッチング周波数を選択することを特徴とするスイッチング周波数制御装置。
【請求項７】
請求項１から６のいずれか一項に記載のスイッチング周波数制御装置において、
前記電気装置は、前記スイッチング機能を備えたスイッチング電源装置であることを特徴とするスイッチング周波数制御装置。
【請求項８】
複数種類のスイッチング周波数により動作可能なスイッチング機能を少なくとも備える電気装置における当該スイッチング周波数を制御するスイッチング周波数制御装置に含まれるコンピュータを、
前記電気装置の動作中における前記スイッチング周波数を検出する検出手段、及び、
受信すべき電波の周波数と、前記検出されたスイッチング周波数と、に基づいて、当該電波の受信処理に対して雑音となる周波数を除くいずれかの前記スイッチング周波数を選択し、当該選択されたスイッチング周波数を用いて前記電気装置を動作させる選択制御手段、
として機能させることを特徴とするスイッチング周波数制御用プログラム。
【発明の詳細な説明】
【技術分野】
【０００１】
本願は、スイッチング周波数制御装置及びスイッチング周波数制御用プログラムの技術分野に属する。
【背景技術】
【０００２】
近年、小型化が可能な高性能の電源装置として、予め設定されたスイッチング周波数による発振機能を備えるスイッチング電源装置に関する開発が盛んであり、現状では、例えば放送電波受信用のチューナと上記スイッチング電源装置とが一つの筐体内に備えられる場合も多くなっている。
【０００３】
そして、このようにチューナとスイッチング電源装置を一つの筐体内に備える場合、当該スイッチング電源装置における機能発揮に必要なスイッチング動作に起因して、当該スイッチング周波数の高調波周波数成分を有する信号（又は当該信号に起因する電磁波）が、当該チューナにおける受信処理に対して雑音として機能し、悪影響を及ぼすという事象が発生していた。
【０００４】
そこで、従来では、このための解決手段として、上記スイッチング電源装置におけるスイッチング周波数を少なくとも二種類用意し、これらを自動又は手動により切り換えることで、チューナ部に悪影響を及ぼさないスイッチング周波数を選択してスイッチング電源装置を駆動させることが行われていた。
【０００５】
より具体的には、例えば手動切換の場合には、チューナを使用中においてその再生音等に雑音が発生した場合、使用者自身が操作部を操作することによりスイッチング周波数を切り換える構成とされていた。
【０００６】
また、自動切換の場合には、その製品の設計値として予め上記高調波周波数成分を算出し、当該算出した値を不揮発性のメモリ等内にテーブル化して記憶しておき、実際の電波受信時において受信しようとしている周波数と上記記憶されている高調波周波数とが近接している場合に、他のスイッチング周波数によりスイッチング電源装置を駆動させるように構成されていた。
【発明の開示】
【発明が解決しようとする課題】
【０００７】
しかしながら、上述した従来のスイッチング周波数制御の構成によると、先ず上述した手動切換の場合、その使用者が意識して当該手動切換を実行しなければ、雑音低減の効果は全く得られないこととなるという問題点があった。
【０００８】
一方、上述した設計値を用いた自動切換の場合、実際に製品に使用されている電源素子に含まれている特性上のバラツキや実際の使用環境における周囲温度の変動に起因するスイッチング周波数の変動等が考慮されていないため、計算上のスイッチング周波数（高調波成分）と実際のスイッチング電源装置の駆動スイッチング周波数とが異なったときには、設計時に意図した雑音低減の効果が得られない場合があるという問題点があった。
【０００９】
そこで、本願は上記の各問題点に鑑みて為されたもので、その目的の一例は、実際の駆動時においてもスイッチング電源装置のスイッチング機能に起因する雑音を抑制して高精度に電波を受信することが可能なスイッチング周波数制御装置及び当該スイッチング周波数制御用プログラムを提供することにある。
【課題を解決するための手段】
【００１０】
上記の課題を解決するために、請求項１に記載の発明は、複数種類のスイッチング周波数により動作可能なスイッチング機能を少なくとも備える電気装置における当該スイッチング周波数を制御するスイッチング周波数制御装置において、前記電気装置の動作中における前記スイッチング周波数を検出する周波数カウンタ等の検出手段と、受信すべき電波の周波数と、前記検出されたスイッチング周波数と、に基づいて、当該電波の受信処理に対して雑音となる周波数を除くいずれかの前記スイッチング周波数を選択し、当該選択されたスイッチング周波数を用いて前記電気装置を動作させるＣＰＵ等の選択制御手段と、を備える。
【００１１】
上記の課題を解決するために、請求項８に記載の発明は、複数種類のスイッチング周波数により動作可能なスイッチング機能を少なくとも備える電気装置における当該スイッチング周波数を制御するスイッチング周波数制御装置に含まれるコンピュータを、前記電気装置の動作中における前記スイッチング周波数を検出する検出手段、及び、受信すべき電波の周波数と、前記検出されたスイッチング周波数と、に基づいて、当該電波の受信処理に対して雑音となる周波数を除くいずれかの前記スイッチング周波数を選択し、当該選択されたスイッチング周波数を用いて前記電気装置を動作させる選択制御手段、として機能させる。
【発明を実施するための最良の形態】
【００１２】
次に、本願を実施するための最良の形態について、図１乃至図４を用いて説明する。なお、以下に説明する実施形態は、ラジオ放送又はテレビジョン放送等の放送電波を受信するチューナを少なくとも備え、これらチューナ等をスイッチング電源装置により駆動する情報処理装置に対して本願を適用した場合の実施の形態である。
【００１３】
また、図１は実施形態に係る情報処理装置の概要構成を示すブロック図であり、図２は上記スイッチング電源装置としての電源部の構成を示すブロック図であり、図３は実施形態に係る周波数テーブルの内容を例示する図であり、図４はスイッチング周波数制御処理を示すフローチャートである。
【００１４】
図１に示すように、実施形態に係る情報処理装置Ｓは、アンテナ１に接続された上記チューナとしての受信部２と、再生部３と、上記電源部４と、選択制御手段としてのＣＰＵ５と、記憶手段としてのメモリ６と、スピーカ７と、を少なくとも備えている。なお、実施形態に係る情報処理装置Ｓとしては、図１に示す構成部材の他に、受信した情報を光ディスクやハードディスク等の記録媒体に記録する記録部や、当該記録された情報を再生する再生部等が備えられていても良い。
【００１５】
また、電源部４は、図１及び図２に示すように、周波数制御部４Ａと、検出手段としての周波数カウンタ４Ｂと、電力部１０と、コンセント１２と、により構成されている。更に、周波数制御部４Ａは、図２に示すように、スイッチング回路１１と、抵抗体１２乃至１４と、各抵抗体１２乃至１４と接地との間に直列に夫々接続されたスイッチ１５乃至１７と、により構成されている。
【００１６】
次に動作を説明する。
【００１７】
アンテナ１において受信されたラジオ等の放送電波は、アンテナ信号Ｓantとして受信部２に入力され、当該受信部２において復調処理等の必要な処理が施され、復調信号Ｓrとして再生部３へ出力される。
【００１８】
そして、再生部３において当該復調信号Ｓrに対して復号処理等の必要な処理が施され、再生信号Ｓoutとしてスピーカ７に出力され、音として放音される。
【００１９】
なお、放送電波がテレビジョン放送の電波であるときは、受信部２において映像信号を含む受信信号が分離され、これが復号されて図示しない表示部等に出力されて表示されることとなる。
【００２０】
このとき、上記受信部２及び再生部３における夫々の処理は、ＣＰＵ５からの制御信号Ｓcr及びＳcpに基づいて実行されるものである。
【００２１】
一方、電源部４においては、ＣＰＵ５からの制御信号Ｓcに基づいてスイッチ１５乃至１７のいずれか一つが選択的にオンとされ、これにより、スイッチング回路１１が当該オンとされたスイッチに接続されている抵抗体１２乃至１４のいずれかに対応するスイッチング周波数を用いて電力部１０が駆動されるように制御信号Ｓccを生成し、これを当該電力部１０に出力する。
【００２２】
そして、電力部１０は、当該制御信号Ｓccにより示されるスイッチング周波数によりスイッチング制御されつつコンセント１２から出力されてくる（例えば交流１００ボルトの）電力信号Ｓ１００を整流すると共に変圧し、上記受信部２及び再生部３を駆動するための駆動電力信号Ｓpwとして当該受信部２及び再生部３に出力する。
【００２３】
このとき、電力部４内の周波数カウンタ４Ｂは、電力部１０が実際に駆動中において当該電力部１０からその駆動中のスイッチング周波数を示す周波数信号Ｓfを抽出し、当該抽出した周波数信号Ｓfに基づいて電力部１０における現在のスイッチング周波数を示す周波数検出信号Ｓfcを生成し、ＣＰＵ５に出力する。
【００２４】
そして、ＣＰＵ５は、上記受信部２及び再生部３向けの制御信号Ｓcr及びＳcpを出力して当該受信部２及び再生部３を夫々制御すると共に、メモリ６内に記憶されている後述の周波数テーブルＴの内容と、上記周波数検出信号Ｓfcにより示される現在のスイッチング周波数と、現在受信部２において受信している電波の周波数と、に基づいて上記制御信号Ｓcを生成し、電力部１０におけるスイッチング周波数を切り換える処理を実行する。
【００２５】
なお、このＣＰＵ１０の処理において、上記周波数テーブルＴは、メモリ信号Ｓmとして必要に応じてメモリ６から読み出されるものであり、また上記受信部２及び再生部３を制御するために必要な情報も、メモリ信号Ｓmとしてメモリ６内に一時的に記憶され、必要に応じて読み出される。
【００２６】
次に、実施形態に係る上述した周波数テーブルＴについて、具体的に図３を用いてその内容を例示しつつ説明する。
【００２７】
先ず、前提として、図１及び図２に示す電源部４においては、抵抗体１２乃至１４に夫々対応した三種類のスイッチング周波数により電力部１０が動作可能とされているものとし、この三種類のスイッチング周波数を、図３においては夫々第１スイッチング周波数乃至第３スイッチング周波数と示す。この三種類のスイッチング周波数の値として具体的には、例えば、低い方から１５キロヘルツ、１８キロヘルツ及び２０キロヘルツのように設計値として予め設定されているものとする。そして、この三種類のスイッチング周波数の夫々自体が、上述したような製品毎のバラツキや周囲温度の変動に起因して若干増減する。
【００２８】
更に、図３に例示する周波数テーブルＴは、後述する各タイミングにおいて更新されつつ以下に説明するスイッチング周波数の制御処理に供される。
【００２９】
すなわち、実施形態に係るＣＰＵ５は、後述する夫々のタイミングにおいて電力部１０（本来の機能上は、設計値としての上記第１スイッチング周波数乃至第３スイッチング周波数のいずれかにより駆動されるものである）の駆動中における実際の第１スイッチング周波数乃至第３スイッチング周波数の夫々を、実際に各スイッチング周波数で電力部１０を一時的に動作させた上で周波数カウンタ４Ｂにより検出し、その値を現スイッチング周波数として周波数テーブルＴにおける「Ａ」、「Ｂ」又は「Ｃ」に夫々格納する。より具体的には、例えば後述する周波数テーブルＴの更新タイミングにおいて電力部１０が第１スイッチング周波数により駆動されているときには、検出された実際のスイッチング周波数は周波数テーブルＴにおける「Ａ」として格納される。そして更に、電力部１０の駆動周波数を一時的に第２スイッチング周波数に変更し、その時に検出される実際のスイッチング周波数を周波数テーブルＴにおける「Ｂ」に格納し、次に電力部１０の駆動周波数を一時的に第３スイッチング周波数に更に変更し、その時に検出される実際のスイッチング周波数を周波数テーブルＴにおける「Ｃ」に格納する。
【００３０】
なお、この周波数テーブルＴの更新処理として、各スイッチング周波数を実際に検出する以外に、例えば周波数テーブルＴの更新のタイミングにおいて電力部１０が第１スイッチング周波数により駆動されていた場合は、検出された実際のスイッチング周波数を周波数テーブルＴにおける「Ａ」として格納すると共に、周波数テーブルＴにおける「Ｂ」及び「Ｃ」として、設計値としての第１スイッチング周波数の値と周波数カウンタ４Ｂによりそのときに検出されたスイッチング周波数の値（すなわち、そのときの周波数テーブルＴにおける「Ａ」の値）との差を参照して夫々の値を設定してもよい。
【００３１】
次に、周波数テーブルＴにおける上記「Ａ」乃至「Ｃ」が決まると、ＣＰＵ５は当該決定された現スイッチング周波数の夫々を自然数倍し、夫々に対応する高調波周波数を算出し、周波数テーブルＴ内に夫々格納する。なお、図３に示す例では、第（ｎ＋２）高調波まで算出しているが、どの高調波周波数まで算出するかは、受信することが予め予定されている電波の周波数に基づき、その受信周波数を含む高調波周波数が得られる段階まで算出して周波数テーブルＴ内に記憶しておく。
【００３２】
上述した一連の動作により必要な周波数テーブルＴが作成（更新）されると、次にＣＰＵ５は、現在受信している電波の周波数から最も離れた高調波周波数を周波数テーブルＴから抽出し、その抽出された高調波周波数の算出元であるいずれかのスイッチング周波数を用いて以後電力部１０を駆動するように、上記制御信号Ｓcを周波数制御部４Ａに出力する。
【００３３】
これにより、電力部１０は、現在受信している電波の周波数から最も離れた高調波周波数に対応するスイッチング周波数、すなわち、いわゆる回り込み等により当該電波の受信処理に最も影響を及ぼし難いスイッチング周波数により駆動されることになる。
【００３４】
次に、上述した一連の動作が実際に行われるタイミング等につき、図４を用いて説明する。
【００３５】
先ず、上述した周波数テーブルＴの初期生成処理は、情報処理装置Ｓの電源がオンとされたタイミングにおいて実行されるようにすることができる。
【００３６】
すなわち、図４（ａ）に示すように、当該情報処理装置Ｓの電源がオンとされると（ステップＳ１）、その後に放送電波の受信処理が実行されるか否かがＣＰＵ５において確認される（ステップＳ２）。そして、放送電波の受信処理が実行されないときは（ステップＳ２；ＮＯ）、そのまま対応する他の処理を実行して（ステップＳ８）一連の処理を終了する。
【００３７】
一方、ステップＳ２の判定において、放送電波の受信処理が行われるときは（ステップＳ２；ＹＥＳ）、次に上述したように周波数カウンタ４Ｂにおいてそのときの各スイッチング周波数を実際に測定し（ステップＳ３）、その測定された各スイッチング周波数を用いて図３に示した周波数テーブルを新たに生成し（ステップＳ４）、更に当該生成された周波数テーブルＴを用いて放送電波の受信処理に最も影響を及ぼし難いスイッチング周波数を新たに選択する（ステップＳ５）。このとき、当該選択されたスイッチング周波数が、上記スイッチング周波数測定（ステップＳ３）時に選択されていたスイッチング周波数であることもあり得る。
【００３８】
そして、その選択されたスイッチング周波数を用いて電力部１０を駆動（すなわち、情報処理装置Ｓを駆動）し（ステップＳ６）、電源スイッチがオフとされたか否かを監視する（ステップＳ７）。
【００３９】
電源スイッチがオフとされた場合には（ステップＳ７；ＹＥＳ）そのまま一連の処理を終了し、オフとされていないときは（ステップＳ７；ＮＯ）、ステップＳ６に戻って電力部１０の駆動を継続する。
【００４０】
一方、一旦生成された当該周波数テーブルＴの更新処理は、情報処理装置Ｓにおいて実行すべき機能が切り換えられたタイミング（例えば、光ディスクの再生処理の実行中において放送電波の受信処理に切り換えられたタイミング等）において実行することもできる。
【００４１】
すなわち、図４（ｂ）に示すように（なお、図４（ｂ）において図４（ａ）の処理と同一の処理については同一のステップ番号を付して細部の説明は省略する）、情報処理装置Ｓの動作中においては機能切換が指示されたか否かを常に監視しており（ステップＳ１０）、機能切換が実行された場合は（ステップＳ１０；ＹＥＳ）、次に、その機能切換後に放送電波の受信処理が実行されるか否かがＣＰＵ５において確認される（ステップＳ１１）。そして、機能切換後に放送電波の受信処理が実行されないときは（ステップＳ１１；ＮＯ）、そのまま対応する他の処理を実行して（ステップＳ８）一連の処理を終了する。
【００４２】
一方、ステップＳ１１の判定において、放送電波の受信処理が行われるときは（ステップＳ１１；ＹＥＳ）、周波数カウンタ４Ｂにおいてそのときのスイッチング周波数を再度測定する（ステップＳ１２）。そして、ステップＳ１２の処理が実行されたタイミングにおける実際のスイッチング周波数が、それまで用いられていた周波数テーブルＴ上のスイッチング周波数から変化しているか否かを確認し（ステップＳ１３）、変化していないときは（ステップＳ１３；ＮＯ）そのままスイッチング周波数を変更することなく後述するステップＳ６の処理に移行し、一方、実際のスイッチング周波数がそれまで用いられていた周波数テーブルＴ上のスイッチング周波数から変化している場合は（ステップＳ１３；ＹＥＳ）、その再測定されたスイッチング周波数を用いて図３に示した周波数テーブルを更新すると共に、他のスイッチング周波数についても一時的に切り換えて電力部１０を駆動しつつ再測定し、再測定後のスイッチング周波数を用いて周波数テーブルの対応する部分を更新し（ステップＳ１４）、更に更新された周波数テーブルＴを用いて放送電波の受信処理に最も影響を及ぼし難いスイッチング周波数を新たに選択する（ステップＳ５）。このとき、当該選択されたスイッチング周波数が、上記スイッチング周波数の再測定（ステップＳ１２）時に選択されていたスイッチング周波数であることもあり得る。
【００４３】
そして、その選択されたスイッチング周波数を用いて電力部１０を駆動し（ステップＳ６）、電源スイッチがオフとされたか否かを監視する（ステップＳ７）。
【００４４】
電源スイッチがオフとされた場合には（ステップＳ７；ＹＥＳ）そのまま一連の処理を終了し、オフとされていないときは（ステップＳ７；ＮＯ）、ステップＳ６に戻って電力部１０の駆動を継続する。
【００４５】
以上説明したように、実施形態に係る情報処理装置Ｓにおける電源部４の動作によれば、実際の動作中における各スイッチング周波数を検出し、電波の受信処理に対して雑音となる周波数を除くいずれかのスイッチング周波数を選択するので、実際の動作中において例えば温度の変化等に起因して実際のスイッチング周波数が変化した場合でも、受信処理の妨げになるスイッチング周波数により電力部１０が駆動されることを防止できる。
【００４６】
従って、雑音混入を抑制して高精度に電波を受信し、復調・再生することができる。
【００４７】
また、検出された各スイッチング周波数の高調波周波数が受信処理に影響を及ぼす可能性がある場合でも、受信処理の妨げになる高調波周波数の信号を発生させるスイッチング周波数により電力部１０が駆動されることを防止できる。
【００４８】
更に、検出されたスイッチング周波数と、それらに対応する高調波周波数と、を含む周波数テーブルＴを用いて実際に用いるスイッチング周波数を設定するので、簡易な構成で所望のスイッチング周波数を設定することができる。
【００４９】
また、スイッチング周波数が新たに検出されたとき、新たに検出されたスイッチング周波数がそのときまで電力部１０の駆動に用いられていたスイッチング周波数と異なるとき、周波数テーブルＴの内容を、新たに検出されたスイッチング周波数とその新たに検出されたスイッチング周波数に対応する各高調波周波数とを含む内容に更新するので、常に最も適切なスイッチング周波数を用いて電力部１０を駆動することができる。
【００５０】
更にまた、受信されるべき電波の周波数との差が最も大きい高調波周波数の算出元であるスイッチング周波数を選択するので、スイッチング機能による雑音の影響が最も少ないスイッチング周波数を用いてスイッチング電源装置たる電力部４を駆動することができる。
【００５１】
なお、上述した実施形態においては、生成又は更新された周波数テーブルＴを用いてスイッチング周波数を選択する際、その時に受信すべき電波の周波数より小さく且つその周波数との差が最も大きい高調波周波数の算出元であるスイッチング周波数を用いて電力部１０を駆動すれば、スイッチング機能による雑音の影響が最も少なく且つ小さいスイッチング周波数を用いて電力部１０を駆動することができる。
【００５２】
また、図４に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るＣＰＵ５として活用することも可能である。
【図面の簡単な説明】
【００５３】
【図１】実施形態に係る情報処理装置の概要構成を示すブロック図である。
【図２】実施形態に係る電源部の細部構成を示すブロック図である。
【図３】実施形態に係る周波数テーブルを例示する図である。
【図４】実施形態に係る周波数テーブルの生成又は更新処理を示すフローチャートであり、（ａ）は当該周波数テーブルの生成処理を示すフローチャートであり、（ｂ）は当該周波数テーブルの更新処理を示すフローチャートである。
【符号の説明】
【００５４】
４    電源部
４Ａ    周波数制御部
４Ｂ    周波数カウンタ
５    ＣＰＵ
６    メモリ
１０    電力部
１１    スイッチング回路
１２、１３、１４    抵抗体
１５、１６、１７    スイッチ
Ｓ    情報処理装置
【図１】
2006140792.tif 000003
【図２】
2006140792.tif 000004
【図３】
2006140792.tif 000005
【図４】
2006140792.tif 000006